(57)【要約】  タッチパネル装置は、静電容量方式のタッチパネルと、タッチパネルの静電容量の変化に基づいてタッチパネルの操作検出領域に対する操作を検出する操作検出部と、操作検出領域に、操作検出部により検出された操作が有効とされる操作有効領域を設定する操作有効領域設定部とを備える。
2016167118.tif 000002
【特許請求の範囲】
【請求項１】
静電容量方式のタッチパネルと、
前記タッチパネルの静電容量の変化に基づいて前記タッチパネルの操作検出領域に対する操作を検出する操作検出部と、
前記操作検出領域に、前記操作検出部により検出された操作が有効とされる操作有効領域を設定する操作有効領域設定部と、
を備えることを特徴とするタッチパネル装置。
【請求項２】
前記タッチパネルは、被検体の光学像を撮像する内視鏡が接続される筐体装置のフロントパネルに設けられる、
ことを特徴とする請求項１記載のタッチパネル装置。
【請求項３】
前記操作有効領域は、前記操作検出領域の辺縁の領域を除く領域である、
ことを特徴とする請求項１又は２記載のタッチパネル装置。
【請求項４】
前記操作有効領域は、前記操作検出領域の下部辺縁の領域を除く領域である、
ことを特徴とする請求項１又は２記載のタッチパネル装置。
【請求項５】
前記操作有効領域は、前記操作検出領域の左右辺縁の領域を除く領域である、
ことを特徴とする請求項１、２、又は４記載のタッチパネル装置。
【請求項６】
前記操作検出部は、
前記タッチパネルの静電容量の変化に基づいて前記操作検出領域に対するタッチ操作を検出し、当該タッチ操作が検出された前記操作検出領域内の位置の座標を検出するタッチ座標検出部と、
前記タッチパネルの静電容量の変化に基づいて前記操作検出領域に対する前記タッチ操作の解除操作であるリリース操作を検出し、当該リリース操作が検出された前記操作検出領域内の位置の座標を検出するリリース座標検出部と、
を備え、
前記操作有効領域設定部は、前記リリース座標検出部により検出された座標が、前記操作検出領域の辺縁の領域に含まれる場合に、前記操作検出部により検出された操作が無効とされるように、前記操作有効領域を設定する、
ことを特徴とする請求項３記載のタッチパネル装置。
【発明の詳細な説明】
【技術分野】
【０００１】
本発明は、タッチパネル装置に関する。
【背景技術】
【０００２】
タッチパネル装置は、表示機能と入力機能とを兼ね備え、直感的な操作性に優れていることから、近年では、金融機関のＡＴＭ（Automated Teller Machine）、可搬型情報端末装置（タブレット型ＰＣ（Personal Computer）やスマートフォン等）、及び医療用機器など、様々な電子機器の入力手段（又は操作手段）として採用されている。【０００３】
タッチパネル装置のタッチパネルは、動作原理に応じて抵抗膜方式、静電容量方式、超音波表面弾性波方式、光学方式（赤外線光学イメージング方式）、及び電磁誘導方式など、様々な検出方式のタッチパネルが存在する。そのため、電子機器の入力手段として採用されるタッチパネル装置のタッチパネルは、その用途、環境、及び仕様等に応じて最適な検出方式のタッチパネルが選択されている。但し、何れの検出方式にも一長一短があり、全ての面で優位な検出方式は存在しない。【０００４】
例えば、静電容量方式のタッチパネルは、透過率が高く耐久性も高い等の長所がある。その一方、タッチパネルに付着した水滴等のしずくによってタッチパネルの静電容量が変化し、その変化をユーザの操作として誤検出してしまう虞がある等の短所もある。このような誤検出が生じてしまうと、当該タッチパネル（タッチパネル装置）を入力手段として備えた電子機器を誤動作させてしまう虞もある。【０００５】
なお、医療用機器の入力手段として採用されたタッチパネル装置として、内視鏡装置のプロセッサに採用されたタッチパネル装置が知られている（例えば特許文献１参照）。このタッチパネル装置では、第１表示ボタンが押圧されると、押圧位置を示す信号を受信したプロセッサ制御回路により、第１表示ボタンの中心点と押圧位置とのずれ量が算出され、そのずれ量に基づき、第１表示ボタンについて設定されていた反応可能な領域が拡張され、そして、最後に第１表示ボタンが押圧されてからの経過時間が所定の上限時間内に、第１表示ボタンの押圧により実行される機能を打ち消すべく第２表示ボタンが押圧されると、拡張された反応領域が元の基準領域に戻される等の動作が行われている。
【先行技術文献】
【特許文献】
【０００６】
【特許文献１】特開２００９−３７３４３号公報
【発明の概要】
【発明が解決しようとする課題】
【０００７】
以上のような実情を踏まえ、本発明は、静電容量方式のタッチパネルに付着した水滴等のしずくにより生じ得る誤検出によって電子機器を誤動作させてしまうのを防止することができるタッチパネル装置を提供することを目的とする。
【課題を解決するための手段】
【０００８】
本発明の第１の態様は、静電容量方式のタッチパネルと、前記タッチパネルの静電容量の変化に基づいて前記タッチパネルの操作検出領域に対する操作を検出する操作検出部と、前記操作検出領域に、前記操作検出部により検出された操作が有効とされる操作有効領域を設定する操作有効領域設定部と、を備えるタッチパネル装置を提供する。【０００９】
本発明の第２の態様は、第１の態様において、前記タッチパネルは、被検体の光学像を撮像する内視鏡が接続される筐体装置のフロントパネルに設けられる、タッチパネル装置を提供する。【００１０】
本発明の第３の態様は、第１又は２の態様において、前記操作有効領域は、前記操作検出領域の辺縁の領域を除く領域である、タッチパネル装置を提供する。
本発明の第４の態様は、第１又は２の態様において、前記操作有効領域は、前記操作検出領域の下部辺縁の領域を除く領域である、タッチパネル装置を提供する。【００１１】
本発明の第５の態様は、第１、２、又は４の態様において、前記操作有効領域は、前記操作検出領域の左右辺縁の領域を除く領域である、タッチパネル装置を提供する。
本発明の第６の態様は、第３の態様において、前記操作検出部は、前記タッチパネルの静電容量の変化に基づいて前記操作検出領域に対するタッチ操作を検出し、当該タッチ操作が検出された前記操作検出領域内の位置の座標を検出するタッチ座標検出部と、前記タッチパネルの静電容量の変化に基づいて前記操作検出領域に対する前記タッチ操作の解除操作であるリリース操作を検出し、当該リリース操作が検出された前記操作検出領域内の位置の座標を検出するリリース座標検出部と、を備え、前記操作有効領域設定部は、前記リリース座標検出部により検出された座標が、前記操作検出領域の辺縁の領域に含まれる場合に、前記操作検出部により検出された操作が無効とされるように、前記操作有効領域を設定する、タッチパネル装置を提供する。
【発明の効果】
【００１２】
本発明によれば、静電容量方式のタッチパネルに付着した水滴等のしずくにより生じ得る誤検出によって電子機器を誤動作させてしまうのを防止することができる。
【図面の簡単な説明】
【００１３】
【図１】一実施の形態に係るタッチパネル装置を含む電子機器である内視鏡プロセッサの外観構成例を示す図である。
【図２】内視鏡プロセッサを含む内視鏡システムの構成例を示す図である。
【図３】有効検出領域設定部によりタッチパネルの操作検出領域に設定された有効検出領域の一例を示す図である。
【図４Ａ】タッチパネル付ＬＣＤにおいて、操作検出領域に有効検出領域が設定されていない状態のタッチパネルに不意に付着した水滴がタッチパネル上を流れ落ちるときの、その水滴の経路の一例を示す図である。
【図４Ｂ】タッチパネル付ＬＣＤにおいて、操作検出領域に有効検出領域が設定されている状態のタッチパネルに不意に付着した水滴がタッチパネル上を流れ落ちるときの、その水滴の経路の一例を示す図である。
【図５Ａ】有効検出領域設定部によりタッチパネルの操作検出領域に設定された有効検出領域の他の例を示す第１の図である。
【図５Ｂ】有効検出領域設定部によりタッチパネルの操作検出領域に設定された有効検出領域の他の例を示す第２の図である。
【図５Ｃ】有効検出領域設定部によりタッチパネルの操作検出領域に設定された有効検出領域の他の例を示す第３の図である。
【発明を実施するための形態】
【００１４】
以下、図面を参照しながら、本発明の実施の形態について説明する。
本発明の一実施の形態に係るタッチパネル装置を含む電子機器は、内視鏡プロセッサである。図１は、その内視鏡プロセッサの外観構成例を示す図である。
【００１５】
図１に示したように、内視鏡プロセッサ１００は、その前面であるフロントパネルが僅かに傾斜した筐体形状を有する装置であって、そのフロントパネルには、タッチパネル付ＬＣＤ（Liquid Crystal Display）１０１、スコープコネクタ１０２（１０２ａ、１０２ｂ）、及び電源ボタン１０３等が設けられている。
【００１６】
タッチパネル付ＬＣＤ１０１は、内視鏡プロセッサ１００の入力手段（又は操作手段）としての機能を担い、ユーザのタッチ操作やそのタッチ操作の解除操作であるリリース操作等によって、ユーザからの各種の入力を受け付ける。なお、ユーザのタッチ操作とは、例えば、ユーザがタッチパネル付ＬＣＤ１０１を指で触れる操作であり、ユーザのリリース操作とは、例えば、ユーザがタッチパネル付ＬＣＤ１０１に触れていた指を離す操作である。
【００１７】
スコープコネクタ１０２は、後述の内視鏡が接続される内視鏡用コネクタである。より詳しくは、スコープコネクタ１０２ａは、内視鏡のケーブル（映像信号を伝送する信号線を含む）が接続されるコネクタであり、スコープコネクタ１０２ｂは、内視鏡の後述するライトガイドが接続されるコネクタである。
【００１８】
電源ボタン１０３は、内視鏡プロセッサ１００の電源をオン、オフするためのボタンである。その他、内視鏡プロセッサ１００には、後述のモニタが接続される図示しないモニタ用コネクタ等も設けられている。
【００１９】
このような外観構成を有する内視鏡プロセッサ１００は、例えば病院等の医療機関において、次のような内視鏡システムの一部として使用される。
図２は、内視鏡プロセッサ１００を含む内視鏡システムの構成例を示す図である。
【００２０】
図２に示したように、内視鏡システム４００は、内視鏡プロセッサ１００、内視鏡２００、及びモニタ３００を含み、内視鏡２００と内視鏡プロセッサ１００とが上述のスコープコネクタ１０２を介して接続され、内視鏡プロセッサ１００とモニタ３００とが上述のモニタ用コネクタを介して接続された構成を有する。
【００２１】
内視鏡２００は、撮像部２０１及びライトガイド２０２を含む。
撮像部２０１は、ＣＣＤ（Charge-Coupled Device）又はＣＭＯＳ（Complementary Metal Oxide Semiconductor）等の図示しない撮像素子を含む。撮像部２０１は、その撮像素子を用いて被検体の光学像を撮像し、その光学像に応じた映像信号を内視鏡プロセッサ１００へ出力する。
【００２２】
ライトガイド２０２は、内視鏡プロセッサ１００から入力された照明光を内視鏡先端部へ導く。なお、このようにして内視鏡先端部へ導かれた照明光は、その内視鏡先端部に備えられた図示しない光学系により、被検体に照明される。
【００２３】
内視鏡プロセッサ１００は、タッチパネル付ＬＣＤ１０１（１０１ａ、１０１ｂ）、プロセッサ制御部１１１、映像信号処理部１１２、光源部１１３、ＬＣＤ制御部１１４、タッチパネル制御部１１５、操作位置検出部１１６、フィルター部１１７、及び有効検出領域設定部１１８を含む。
【００２４】
タッチパネル付ＬＣＤ１０１は、ＬＣＤ１０１ａ及びタッチパネル１０１ｂを含み、ＬＣＤ１０１ａ上にタッチパネル１０１ｂが配置された構成を有する。ＬＣＤ１０１ａは、ＬＣＤ制御部１１４の制御の下に、ボタンやアイコン等を含む画像を表示する。タッチパネル１０１ｂは、静電容量方式のタッチパネルであって、タッチパネル制御部１１５により制御される。
【００２５】
映像信号処理部１１２は、内視鏡プロセッサ１００の制御の下に、内視鏡２００の撮像部２０１からスコープコネクタ１０２ａを介して入力された映像信号を処理し、その処理後の映像信号を、モニタ用コネクタを介してモニタ３００へ出力する。
【００２６】
光源部１１３は、内視鏡プロセッサ１００の制御の下に、被検体に照明する照明光を、スコープコネクタ１０２ｂを介して内視鏡２００のライトガイド２０２へ出射する。なお、光源部１１３は、光源としてＲ（赤）、Ｇ（緑）、及びＢ（青）の各色のＬＥＤ（Light Emitting Diode）を備え、各ＬＥＤから出射される光の合成によって白色光を出射する。
【００２７】
ＬＣＤ制御部１１４は、内視鏡プロセッサ１００の制御の下に、ＬＣＤ１０１ａを制御する。
タッチパネル制御部１１５は、内視鏡プロセッサ１００の制御の下に、タッチパネル１０１ｂを制御する。また、タッチパネル制御部１１５は、フィルター部１１７から入力された後述のユーザ操作の位置座標を、プロセッサ制御部１１１へ出力する。
【００２８】
操作位置検出部１１６は、タッチパネル１０１ｂの静電容量の変化に基づいて、タッチパネル１０１ｂの操作検出領域に対するユーザの操作を検出し、当該操作が検出された操作検出領域内の位置の座標を検出する。例えば、操作位置検出部１１６は、タッチパネル１０１ｂの静電容量の変化に基づいて、タッチパネル１０１ｂの操作検出領域に対するユーザのタッチ操作を検出し、当該タッチ操作が検出された操作検出領域内の位置の座標を検出する。また、例えば、操作位置検出部１１６は、タッチパネル１０１ｂの静電容量の変化に基づいて、タッチパネル１０１ｂの操作検出領域に対するユーザのタッチ操作の解除操作であるリリース操作を検出し、当該リリース操作が検出された操作検出領域内の位置の座標を検出する。
【００２９】
フィルター部１１７は、操作位置検出部１１６により検出された操作の位置座標が、有効検出領域設定部１１８により設定されている有効検出領域に含まれる場合には、その操作の位置座標を有効としてタッチパネル制御部１１５へ出力する。一方、フィルター部１１７は、操作位置検出部１１６により検出された操作の位置座標が有効検出領域に含まれない場合には、その操作の位置座標を無効としてタッチパネル制御部１１５へ出力しない。なお、フィルター部１１７は、有効検出領域設定部１１８により有効検出領域が設定されていない場合（或いは操作検出領域の全領域が有効検出領域として設定されている場合）には、操作位置検出部１１６により検出された操作の位置座標をそのままタッチパネル制御部１１５へ出力する。
【００３０】
有効検出領域設定部１１８は、プロセッサ制御部１１１の制御の下に、後述の図３を用いて例示するように、タッチパネル１０１ｂの操作検出領域に有効検出領域を設定する。ここで、有効検出領域は、操作位置検出部１１６により検出された操作が有効とされる領域である。なお、有効検出領域設定部１１８による有効検出領域の設定は、例えば、ユーザのタッチパネル付ＬＣＤ１０１に対する操作に応じて行われてもよいし、内視鏡プロセッサ１００の工場出荷時等に行われてもよい。
【００３１】
プロセッサ制御部１１１は、内視鏡プロセッサ１００の各部を制御する。例えば、プロセッサ制御部１１１は、タッチパネル制御部１１５から入力されたタッチ操作の位置座標及びそのタッチ操作の解除操作であるリリース操作の位置座標が、ＬＣＤ１０１ａに表示されている同一アイコンに対応する操作検出領域内の領域に含まれる場合には、そのアイコンに対応する動作を実行するように制御する。
【００３２】
なお、このように構成された内視鏡プロセッサ１００において、タッチパネル１０１ｂは、静電容量方式のタッチパネルの一例である。操作位置検出部１１６は、タッチパネルの静電容量の変化に基づいてタッチパネルの操作検出領域に対する操作を検出する操作検出部の一例である。また、操作位置検出部１１６は、タッチパネルの静電容量の変化に基づいて操作検出領域に対するタッチ操作を検出し、当該タッチ操作が検出された操作検出領域内の位置の座標を検出するタッチ座標検出部、及び、タッチパネルの静電容量の変化に基づいて操作検出領域に対するタッチ操作の解除操作であるリリース操作を検出し、当該リリース操作が検出された操作検出領域内の位置の座標を検出するリリース座標検出部の一例でもある。有効検出領域設定部１１８は、操作検出領域に、操作検出部により検出された操作が有効とされる操作有効領域を設定する操作有効領域設定部の一例である。
【００３３】
モニタ３００は、例えばＬＣＤであり、内視鏡プロセッサ１００から入力された映像信号に応じた映像を表示する。
なお、このように構成された内視鏡システム４００において、内視鏡プロセッサ１００と光源部１１３は、図２に示したように一体として構成してもよいし、又は別体として構成してもよい。後者の場合には、光源部１１３が内視鏡プロセッサ１００に対して別の装置として設けられるように構成してもよい。
【００３４】
また、内視鏡２００と内視鏡プロセッサ１００を一体として構成してもよいし、内視鏡２００と内視鏡プロセッサ１００とモニタ３００を一体として構成してもよい。このような場合、タッチパネル付ＬＣＤ１０１は、その一体として構成された装置のユーザ操作部（ユーザ把持部）に設けられるようにしてもよい。
【００３５】
また、内視鏡２００は、軟性内視鏡、硬性内視鏡、又は光学式内視鏡（ファイバースコープや外科手術用の光学視管）に接続されたカメラヘッド等としてもよい。
また、光源部１１３は、光源として半導体光源又はランプ光源等を備えるようにしてもよい。ここで、半導体光源は、上述のようにＲ、Ｇ、及びＢの各色のＬＥＤとしてもよいし、又は白色光を出射する白色ＬＥＤとしてもよいし、或いはレーザダイオードとしてもよい。もしくは、上述のように内視鏡２００及び内視鏡プロセッサ１００（又は内視鏡２００、内視鏡プロセッサ１００、及びモニタ３００）を一体として構成した場合等に、半導体光源を備える光源部１１３が内視鏡先端部に設けられるように構成してもよい。
【００３６】
また、内視鏡２００と内視鏡プロセッサ１００との間の信号の送受は、上述のように有線により行われるように構成してもよいし、又は無線により行われるように構成してもよい。
【００３７】
また、モニタ３００は、上述のように内視鏡プロセッサ１００に対して外付けされる構成としてもよいし、又は内視鏡プロセッサ１００に内蔵される構成としてもよい。
図３は、有効検出領域設定部１１８によりタッチパネル１０１ｂの操作検出領域に設定された有効検出領域の一例を示す図である。
【００３８】
図３に示したように、この例では、有効検出領域設定部１１８により、タッチパネル１０１ｂの操作検出領域（実線で囲まれた領域）１０１１に、有効検出領域（点線で囲まれた領域）１０１２が設定されている。なお、この例は、操作検出領域１０１１の辺縁領域（実線と点線の間の領域）を除く領域が、有効検出領域１０１２とされた例である。また、この例は、操作位置検出部１１６により検出されたリリース操作の位置座標が、操作検出領域１０１１の辺縁領域に含まれる場合に、そのリリース操作が無効とされるように有効検出領域１０１２が設定された例でもある。
【００３９】
この例によれば、操作位置検出部１１６により検出された操作の位置座標が有効検出領域１０１２に含まれる場合には、その操作の位置座標が有効とされる。一方、操作位置検出部１１６により検出された操作の位置座標が有効検出領域１０１２に含まれない場合（その操作の位置座標が操作検出領域１０１１の辺縁領域に含まれる場合）には、その操作の位置座標が無効とされる。
【００４０】
内視鏡プロセッサ１００では、このようにタッチパネル１０１ｂの操作検出領域１０１１に有効検出領域１０１２を設定することによって、静電容量方式のタッチパネル１０１ｂに不意に付着した水滴等のしずく（少なくともタッチパネル１０１ｂの静電容量に変化を生じさせる液体のしずく）により生じ得る誤検出によって内視鏡プロセッサ１００が誤動作してしまうのを防止するようにしている。その防止のための内視鏡プロセッサ１００の動作について、図４Ａ及び図４Ｂを用いて、詳細に説明する。
【００４１】
図４Ａは、タッチパネル付ＬＣＤ１０１において、操作検出領域１０１１に有効検出領域が設定されていない状態のタッチパネル１０１ｂに不意に付着した水滴がタッチパネル１０１ｂ上を流れ落ちるときの、その水滴の経路の一例を示す図である。図４Ｂは、タッチパネル付ＬＣＤ１０１において、操作検出領域１０１１に有効検出領域１０１２が設定されている状態のタッチパネル１０１ｂに不意に付着した水滴がタッチパネル１０１ｂ上を流れ落ちるときの、その水滴の経路の一例を示す図である。
【００４２】
なお、図４Ａ及び図４Ｂにおいて、両図に示した水滴５０１の経路は同じものである。
また、図４Ａ及び図４Ｂにおいて、両図に示した、ＬＣＤ１０１ａに表示されている画像（アイコンＡ、アイコンＢ、アイコンＣ、及びアイコンＤを含む画像）も同じものである。以下では、表示されているアイコンに対応する操作検出領域１０１１内の領域をアイコン領域という。具体的には、表示されているアイコンＡに対応する操作検出領域１０１１内の領域１０１１ａをアイコンＡ領域といい、表示されているアイコンＢに対応する操作検出領域１０１１内の領域１０１１ｂをアイコンＢ領域といい、表示されているアイコンＣに対応する操作検出領域１０１１内の領域１０１１ｃをアイコンＣ領域といい、表示されているアイコンＤに対応する操作検出領域１０１１内の領域１０１１ｄをアイコンＤ領域という。
【００４３】
また、図４Ａ及び図４Ｂにおいて、水滴５０１の経路５０２ａは、アイコンＡ領域１０１１ａに不意に付着した水滴が、そのアイコンＡ領域１０１１ａから、アイコンＢ領域１０１１ｂ、アイコンＣ領域１０１１ｃ、及びアイコンＤ領域１０１１ｄを経由して、操作検出領域１０１１外へ流れ落ちる場合の経路を示している。水滴５０１の経路５０２ｂは、アイコンＡ領域１０１１ａに不意に付着した水滴が、そのアイコンＡ領域１０１１ａから、アイコンＢ領域１０１１ｂ及びアイコンＣ領域１０１１ｃを経由して、操作検出領域１０１１外へ流れ落ちる場合の経路を示している。水滴５０１の経路５０２ｃは、アイコンＡ領域１０１１ａに不意に付着した水滴が、そのアイコンＡ領域１０１１ａから操作検出領域１０１１外へ流れ落ちる場合の経路を示している。
【００４４】
まず、図４Ａを用いて、操作検出領域１０１１に有効検出領域が設定されていない場合の内視鏡プロセッサ１００の動作について説明する。なお、この場合の動作は、従来の内視鏡プロセッサの動作と同様となる。
【００４５】
図４Ａに示した経路５０２ａのように水滴５０１が流れ落ちる場合、まず、水滴５０１がアイコンＡ領域１０１１ａに付着した時点において、操作位置検出部１１６では、付着した水滴５０１によるタッチパネル１０１ｂの静電容量の変化に基づいてタッチ操作が検出（誤検出）されると共にそのタッチ操作の位置座標が検出され、それがプロセッサ制御部１１１へ入力される。その後、水滴５０１がアイコンＡ領域１０１１ａからアイコンＤ領域１０１１ｄまでを流れ落ちる間は、繰り返し、操作位置検出部１１６において、流れ落ちる水滴５０１によるタッチパネル１０１ｂの静電容量の変化に基づいてタッチ操作が検出（誤検出）されると共にそのタッチ操作の位置座標が検出され、それがプロセッサ制御部１１１へ入力される。その後、水滴５０１がアイコンＤ領域１０１１ｄから操作検出領域１０１１外へ流れ落ちた時点において、操作位置検出部１１６では、操作検出領域１０１１外へ流れ落ちた水滴５０１によるタッチパネル１０１ｂの静電容量の変化に基づいて、前回に検出されたタッチ操作の解除操作であるリリース操作が検出（誤検出）されると共にそのリリース操作の位置座標が検出され、それがプロセッサ制御部１１１へ入力される。そして、プロセッサ制御部１１１では、アイコンＤ領域１０１１ｄに含まれる、タッチ操作の位置座標とそのタッチ操作の解除操作であるリリース操作の位置座標とが入力されていることから、アイコンＤに対応する動作が実行されるように制御が行われる。従って、この場合には、経路５０２ａのように流れ落ちる水滴５０１による誤検出によって誤動作が生じることになる。
【００４６】
図４Ａに示した経路５０２ｂのように水滴５０１が流れ落ちる場合も同様である。この場合も、水滴５０１がアイコンＡ領域１０１１ａに付着した時点で、タッチ操作が検出（誤検出）されると共にそのタッチ操作の位置座標が検出され、それがプロセッサ制御部１１１へ入力される。その後、水滴５０１がアイコンＡ領域１０１１ａからアイコンＣ領域１０１１ｃまでを流れ落ちる間は、繰り返し、タッチ操作が検出（誤検出）されると共にそのタッチ操作の位置座標が検出され、それがプロセッサ制御部１１１へ入力される。その後、水滴５０１がアイコンＣ領域１０１１ｃから操作検出領域１０１１外へ流れ落ちた時点で、前回に検出されたタッチ操作の解除操作であるリリース操作が検出（誤検出）されると共にそのリリース操作の位置座標が検出され、それがプロセッサ制御部１１１へ入力される。そして、プロセッサ制御部１１１では、アイコンＣ領域１０１１ｃに含まれる、タッチ操作の位置座標とそのタッチ操作を解除するリリース操作の位置座標とが入力されていることから、アイコンＣに対応する動作が実行されるように制御が行われる。従って、この場合にも誤動作が生じることになる。
【００４７】
図４Ａに示した経路５０２ｃのように水滴５０１が流れ落ちる場合も同様である。この場合も、水滴５０１がアイコンＡ領域１０１１ａに付着した時点で、タッチ操作が検出（誤検出）されると共にそのタッチ操作の位置座標が検出され、それがプロセッサ制御部１１１へ入力される。その後、水滴５０１がアイコンＡ領域１０１１ａを流れ落ちる間は、繰り返し、タッチ操作が検出（誤検出）されると共にそのタッチ操作の位置座標が検出され、それがプロセッサ制御部１１１へ入力される。その後、水滴５０１がアイコンＡ領域１０１１ａから操作検出領域１０１１外へ流れ落ちた時点で、前回に検出されたタッチ操作の解除操作であるリリース操作が検出（誤検出）されると共にそのリリース操作の位置座標が検出され、それがプロセッサ制御部１１１へ入力される。そして、プロセッサ制御部１１１では、アイコンＡ領域１０１１ａに含まれる、タッチ操作の位置座標とそのタッチ操作の解除操作であるリリース操作の位置座標とが入力されていることから、アイコンＡに対応する動作が実行されるように制御が行われる。従って、この場合にも誤動作が生じることになる。
【００４８】
このように、操作検出領域１０１１に有効検出領域１０１２が設定されていない場合（従来の内視鏡プロセッサの場合でもある）には、操作検出領域１０１１の辺縁に存在するアイコン領域（例えばアイコンＤ領域１０１１ｄ等）から操作検出領域１０１１外へ水滴５０１が流れ落ちてしまうと、そのアイコン領域に対応する動作が実行されてしまい、内視鏡プロセッサ１００に誤動作が生じることになる。
【００４９】
次に、図４Ｂを用いて、操作検出領域１０１１に有効検出領域１０１２が設定されている場合の内視鏡プロセッサ１００の動作について説明する。
図４Ｂに示した経路５０２ａのように水滴５０１が流れ落ちる場合、まず、有効検出領域１０１２内であって且つアイコンＡ領域１０１１ａに水滴５０１が付着した時点において、操作位置検出部１１６では、付着した水滴５０１によるタッチパネル１０１ｂの静電容量の変化に基づいてタッチ操作が検出（誤検出）されると共にそのタッチ操作の位置座標が検出される。また、フィルター部１１７では、そのタッチ操作の位置座標が有効検出領域１０１２に含まれることから、そのタッチ操作の位置座標が有効とされてプロセッサ制御部１１１へ入力される。その後、有効検出領域１０１２内であって且つアイコンＡ領域１０１１ａからアイコンＤ領域１０１１ｄまでを水滴５０１が流れ落ちる間は、繰り返し、操作位置検出部１１６において、流れ落ちる水滴５０１によるタッチパネル１０１ｂの静電容量の変化に基づいてタッチ操作が検出（誤検出）されると共にそのタッチ操作の位置座標が検出される。また、フィルター部１１７では、そのタッチ操作の位置座標が有効検出領域１０１２に含まれることから、そのタッチ操作の位置座標が有効とされてプロセッサ制御部１１１へ入力される。その後、有効検出領域１０１２外であって且つアイコンＤ領域１０１１ｄを水滴５０１が流れ落ちる間は、繰り返し、操作位置検出部１１６において、流れ落ちる水滴５０１によるタッチパネル１０１ｂの静電容量の変化に基づいてタッチ操作が検出（誤検出）されると共にそのタッチ操作の位置座標が検出される。しかしながら、フィルター部１１７では、そのタッチ操作の位置座標が有効検出領域１０１２に含まれないことから、そのタッチ操作の位置座標が無効とされてプロセッサ制御部１１１へは入力されない。その後、有効検出領域１０１２外であって且つアイコンＤ領域１０１１ｄから操作検出領域１０１１外へ水滴５０１が流れ落ちた時点において、操作位置検出部１１６では、操作検出領域１０１１外へ流れ落ちた水滴５０１によるタッチパネル１０１ｂの静電容量の変化に基づいて、前回に検出されたタッチ操作の解除操作であるリリース操作が検出（誤検出）されると共にそのリリース操作の位置座標が検出される。しかしながら、フィルター部１１７では、そのリリース操作の位置座標が有効検出領域１０１２に含まれないことから、そのリリース操作の位置座標が無効とされてプロセッサ制御部１１１へは入力されない。そして、プロセッサ制御部１１１では、同一アイコン領域に含まれる、タッチ操作の位置座標とそのタッチ操作の解除操作であるリリース操作の位置座標とが入力されていないことから、アイコンに対応する動作が実行されるような制御は行われない。すなわち、上述の図４Ａを用いて説明したアイコンＤに対応する動作の実行は行われない。従って、この場合には、経路５０２ａのように流れ落ちる水滴５０１による誤検出によって誤動作が生じることはない。
【００５０】
図４Ｂに示した経路５０２ｂのように水滴５０１が流れ落ちる場合も同様である。この場合も、まず、有効検出領域１０１２内であって且つアイコンＡ領域１０１１ａに水滴５０１が付着した時点において、タッチ操作が検出（誤検出）されると共にそのタッチ操作の位置座標が検出され、そのタッチ操作の位置座標が有効とされてプロセッサ制御部１１１へ入力される。その後、有効検出領域１０１２内であって且つアイコンＡ領域１０１１ａからアイコンＣ領域１０１１ｃまでを水滴５０１が流れ落ちる間は、繰り返し、タッチ操作が検出（誤検出）されると共にそのタッチ操作の位置座標が検出され、そのタッチ操作の位置座標が有効とされてプロセッサ制御部１１１へ入力される。その後、有効検出領域１０１２外であって且つアイコンＣ領域１０１１ｃを水滴５０１が流れ落ちる間は、繰り返し、タッチ操作が検出（誤検出）されると共にそのタッチ操作の位置座標が検出されるものの、そのタッチ操作の位置座標は無効とされてプロセッサ制御部１１１へは入力されない。その後、有効検出領域１０１２外であって且つアイコンＣ領域１０１１ｃから操作検出領域１０１１外へ水滴５０１が流れ落ちた時点において、前回に検出されたタッチ操作の解除操作であるリリース操作が検出（誤検出）されると共にそのリリース操作の位置座標が検出されるものの、そのリリース操作の位置座標は無効とされてプロセッサ制御部１１１へは入力されない。そして、プロセッサ制御部１１１では、同一アイコン領域に含まれる、タッチ操作の位置座標とそのタッチ操作の解除操作であるリリース操作の位置座標とが入力されていないことから、アイコンに対応する動作が実行されるような制御は行われない。すなわち、上述の図４Ａを用いて説明したアイコンＣに対応する動作の実行は行われない。従って、この場合にも誤動作が生じることはない。
【００５１】
図４Ｂに示した経路５０２ｃのように水滴５０１が流れ落ちる場合も同様である。この場合も、まず、有効検出領域１０１２内であって且つアイコンＡ領域１０１１ａに水滴５０１が付着した時点において、タッチ操作が検出（誤検出）されると共にそのタッチ操作の位置座標が検出され、そのタッチ操作の位置座標が有効とされてプロセッサ制御部１１１へ入力される。その後、有効検出領域１０１２内であって且つアイコンＡ領域１０１１ａを水滴５０１が流れ落ちる間は、繰り返し、タッチ操作が検出（誤検出）されると共にそのタッチ操作の位置座標が検出され、そのタッチ操作の位置座標が有効とされてプロセッサ制御部１１１へ入力される。その後、有効検出領域１０１２外であって且つアイコンＡ領域１０１１ａを水滴５０１が流れ落ちる間は、繰り返し、タッチ操作が検出（誤検出）されると共にそのタッチ操作の位置座標が検出されるものの、そのタッチ操作の位置座標は無効とされてプロセッサ制御部１１１へは入力されない。その後、有効検出領域１０１２外であって且つアイコンＡ領域１０１１ａから操作検出領域１０１１外へ水滴５０１が流れ落ちた時点において、前回に検出されたタッチ操作の解除操作であるリリース操作が検出（誤検出）されると共にそのリリース操作の位置座標が検出されるものの、そのリリース操作の位置座標は無効とされてプロセッサ制御部１１１へは入力されない。そして、プロセッサ制御部１１１では、同一アイコン領域に含まれる、タッチ操作の位置座標とそのタッチ操作の解除操作であるリリース操作の位置座標とが入力されていないことから、アイコンに対応する動作が実行されるような制御は行われない。すなわち、上述の図４Ａを用いて説明したアイコンＡに対応する動作の実行は行われない。従って、この場合にも誤動作が生じることはない。
【００５２】
このように、操作検出領域１０１１に有効検出領域１０１２が設定されている場合には、操作検出領域１０１１の辺縁に存在するアイコン領域（例えばアイコンＤ領域１０１１ｄ等）から操作検出領域１０１１外へ水滴５０１が流れ落ちたとしても、内視鏡プロセッサ１００に誤動作が生じることはない。
【００５３】
以上、本実施形態によれば、静電容量方式のタッチパネル１０１ｂに付着した水滴等のしずくにより生じ得る誤検出によって内視鏡プロセッサ１００を誤動作させてしまうのを防止することができる。
【００５４】
なお、本実施形態においては各種の変形が可能である。
例えば、有効検出領域設定部１１８は、図５Ａ、図５Ｂ、及び図５Ｃに示す有効検出領域を設定するようにしてもよい。図５Ａに示した有効検出領域（点線で囲まれた領域）１０１３は、タッチパネル１０１ｂの操作検出領域１０１１の下部辺縁領域及び左右辺縁領域を除く領域を、有効検出領域とした例である。この例によれば、水滴が例えば図４Ａ及び図４Ｂに示した経路５０２ａ、５０２ｂ、及び５０２ｃのように流れ落ちたとしても、内視鏡プロセッサ１００に誤動作が生じることはない。図５Ｂに示した有効検出領域（点線で囲まれた領域）１０１４は、タッチパネル１０１ｂの操作検出領域１０１１の下部辺縁領域を除く領域を、有効検出領域とした例である。この例によれば、水滴が例えば図４Ａ及び図４Ｂに示した経路５０２ａ及び５０２ｂのように流れ落ちたとしても、内視鏡プロセッサ１００に誤動作が生じることはない。図５Ｃに示した有効検出領域（点線で囲まれた領域）１０１５は、タッチパネル１０１ｂの操作検出領域１０１１の左右辺縁領域を除く領域を、有効検出領域とした例である。この例によれば、水滴が例えば図４Ａ及び図４Ｂに示した経路５０２ｃのように流れ落ちたとしても、内視鏡プロセッサ１００に誤動作が生じることはない。
【００５５】
また、例えば、内視鏡プロセッサ１００は、その前面であるフロントパネルが傾斜せずに垂直（底面に対して垂直）に設けられた筐体形状としてもよい。
また、例えば、内視鏡システム４００は、上述した構成に限らず、画像記録装置等を更に含む構成としてもよいし、通信ネットワークに接続される構成等としてもよい。
【００５６】
また、本実施形態では、タッチパネル装置を含む電子機器として内視鏡プロセッサ１００を説明したが、内視鏡プロセッサ１００以外の電子機器として構成してもよい。
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更が可能である。
【符号の説明】
【００５７】
１００      内視鏡プロセッサ
１０１      タッチパネル付ＬＣＤ
１０１ａ    ＬＣＤ
１０１ｂ    タッチパネル
１０２      スコープコネクタ
１０３      電源ボタン
１１１      プロセッサ制御部
１１２      映像信号処理部
１１３      光源部
１１４      ＬＣＤ制御部
１１５      タッチパネル制御部
１１６      操作位置検出部
１１７      フィルター部
１１８      有効検出領域設定部
２００      内視鏡
２０１      撮像部
２０２      ライトガイド
３００      モニタ
４００      内視鏡システム
５０１      水滴
５０２ａ、５０２ｂ、５０２ｃ  経路
１０１１    操作検出領域
１０１１ａ  アイコンＡ領域
１０１１ｂ  アイコンＢ領域
１０１１ｃ  アイコンＣ領域
１０１１ｄ  アイコンＤ領域
１０１２、１０１３、１０１４、１０１５  有効検出領域
【図１】
2016167118.tif 000003
【図２】
2016167118.tif 000004
【図３】
2016167118.tif 000005
【図４Ａ】
2016167118.tif 000006
【図４Ｂ】
2016167118.tif 000007
【図５Ａ】
2016167118.tif 000008
【図５Ｂ】
2016167118.tif 000009
【図５Ｃ】
2016167118.tif 000010
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
床面に対してほぼ垂直となるように立設されたフロントパネルを備えた筐体装置と、
前記フロントパネル上に設けられた静電容量方式のタッチパネルと、
前記タッチパネルの静電容量の変化に基づいて前記タッチパネルの操作検出領域に対する操作を検出する操作検出部と、
前記操作検出領域内における前記床面側の縁を除く領域を、前記操作検出部により検出された操作が有効とされる操作有効領域として設定する操作有効領域設定部と、
を備えることを特徴とするタッチパネル装置。
【請求項２】
前記操作検出部は、前記タッチパネルの静電容量の変化に基づいて、前記タッチパネルの操作検出領域に対するタッチ操作を検出するとともに、当該操作検出領域に対する前記タッチ操作の解除操作であるリリース操作を検出し、
前記操作検出部により前記操作検出領域で前記タッチ操作が検出された後、前記操作有効領域内で前記リリース操作が検出された場合は前記リリース操作を有効とし、前記操作有効領域外で前記リリース操作が検出された場合は前記リリース操作を無効とするフィルター部を更に備えることを特徴とする請求項１記載のタッチパネル装置。
【請求項３】
前記操作検出部は、
前記タッチパネルの静電容量の変化に基づいて前記操作検出領域に対するタッチ操作が検出された前記操作検出領域内の位置の座標を検出するタッチ座標検出部と、
前記タッチパネルの静電容量の変化に基づいて前記操作検出領域に対する前記タッチ操作の解除操作であるリリース操作が検出された前記操作検出領域内の位置の座標を検出するリリース座標検出部と、
を備え、
前記フィルター部は、前記リリース座標検出部により検出された座標が、前記操作有効領域外である場合に、前記操作検出部により検出された操作を無効とする、
ことを特徴とする請求項２記載のタッチパネル装置。
【請求項４】
前記操作有効領域は、前記操作検出領域の左右辺縁の領域を除く領域である、
ことを特徴とする請求項１記載のタッチパネル装置。
【請求項５】
前記操作検出部は、前記タッチパネルの操作検出領域に水滴が付着した場合にタッチ操作を検出するとともに、前記操作検出領域外に前記水滴が流れ落ちた場合にリリース操作を検出することを特徴とする請求項２に記載のタッチパネル装置。
【請求項６】
前記フィルター部は、前記操作検出部により前記操作有効領域内で前記タッチ操作が検出された後、前記操作有効領域内で前記リリース操作が検出された場合は前記リリース操作を有効とし、前記操作有効領域外で前記リリース操作が検出された場合は前記リリース操作を無効とすることを特徴とする請求項２に記載のタッチパネル装置。
【手続補正２】
【補正対象書類名】明細書
【補正対象項目名】０００８
【補正方法】変更
【補正の内容】
【０００８】
本発明の第１の態様は、床面に対してほぼ垂直となるように立設されたフロントパネルを備えた筐体装置と、前記フロントパネル上に設けられた静電容量方式のタッチパネルと、前記タッチパネルの静電容量の変化に基づいて前記タッチパネルの操作検出領域に対する操作を検出する操作検出部と、前記操作検出領域内における前記床面側の縁を除く領域を、前記操作検出部により検出された操作が有効とされる操作有効領域として設定する操作有効領域設定部と、を備えるタッチパネル装置を提供する。
【手続補正３】
【補正対象書類名】明細書
【補正対象項目名】０００９
【補正方法】変更
【補正の内容】
【０００９】
本発明の第２の態様は、第１の態様において、前記操作検出部は、前記タッチパネルの静電容量の変化に基づいて、前記タッチパネルの操作検出領域に対するタッチ操作を検出するとともに、当該操作検出領域に対する前記タッチ操作の解除操作であるリリース操作を検出し、前記操作検出部により前記操作検出領域で前記タッチ操作が検出された後、前記操作有効領域内で前記リリース操作が検出された場合は前記リリース操作を有効とし、前記操作有効領域外で前記リリース操作が検出された場合は前記リリース操作を無効とするフィルター部を更に備える、タッチパネル装置を提供する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明の第３の態様は、第２の態様において、前記操作検出部は、前記タッチパネルの静電容量の変化に基づいて前記操作検出領域に対するタッチ操作が検出された前記操作検出領域内の位置の座標を検出するタッチ座標検出部と、前記タッチパネルの静電容量の変化に基づいて前記操作検出領域に対する前記タッチ操作の解除操作であるリリース操作が検出された前記操作検出領域内の位置の座標を検出するリリース座標検出部と、を備え、前記フィルター部は、前記リリース座標検出部により検出された座標が、前記操作有効領域外である場合に、前記操作検出部により検出された操作を無効とする、タッチパネル装置を提供する。
本発明の第４の態様は、第１の態様において、前記操作有効領域は、前記操作検出領域の左右辺縁の領域を除く領域である、タッチパネル装置を提供する。
本発明の第５の態様は、第２の態様において、前記操作検出部は、前記タッチパネルの操作検出領域に水滴が付着した場合にタッチ操作を検出するとともに、前記操作検出領域外に前記水滴が流れ落ちた場合にリリース操作を検出する、タッチパネル装置を提供する。
本発明の第６の態様は、第２の態様において、前記フィルター部は、前記操作検出部により前記操作有効領域内で前記タッチ操作が検出された後、前記操作有効領域内で前記リリース操作が検出された場合は前記リリース操作を有効とし、前記操作有効領域外で前記リリース操作が検出された場合は前記リリース操作を無効とする、タッチパネル装置を提供する。
【国際調査報告】
2016167118.tif 000011
2016167118.tif 000012
2016167118.tif 000013
2016167118.tif 000014